(57)【特許請求の範囲】
【請求項１】
台紙に、一枚の板紙で形成される折り畳み式の収納部が複数個取り付けられた陳列台であって、
収納部は、貼代片、底面板、前面板、背面板、押さえ板、底面補強板がそれぞれ折り曲げ線を介して連設され、底面板の両側には、それぞれ折り曲げ線を介して側面板が連設され、各側面板の上端には折り曲げ線を介して側面貼代片が、各折り曲げ線が同一線上に来るように連設され、底面板と側面板が連設されている折り曲げ線と、側面板と側面貼代片が連設されている折り曲げ線との交点から側面板の外方に向けて該側面板を２分するように斜め方向に側面板折り曲げ線が設けられ、また、底面板の前面板寄りの端縁から底面板の内方に向けて貼付片が切り込み線により区画形成され、前面板には、背面板方向に向けてそれぞれ折り曲げ線を介して連設された第２前面板と第２底面板が切り込み線により区画形成され、第２底面板の端縁は前面板と背面板が連設される折り曲げ線と重なるように設けられ、前面板の奥行きは、底面補強板を山折りし押さえ板を谷折りして背面板と押さえ板、底面補強板とを折り重ねた際の奥行きと同寸法に設定され、底面補強板を山折りし、押さえ板を谷折りし、背面板を山折りして互いに折り重ね、底面補強板の表面を、山折りした貼付片の裏面と貼着し、両側面板を側面板折り曲げ線で谷折りすると共に折り曲げて、貼代片、両側面貼代片を台紙に貼着し、折り重ねた背面板の前面板側を起こすと共に、両側面板を外側に広げて該背面板を押し込み、第２前面板を山折りし、第２底面板を谷折りして第２底面板の先端を底面補強板と押さえ板の間に挟み込むように固定して収納部を組み立てたことを特徴とする組立て容易な陳列台。
【請求項２】
前記第２底面板の裏面に仕切り付き補強版を貼着したことを特徴とする請求項１記載の組立て容易な陳列台。
【請求項３】
前記台紙の裏面に、補強柱を貼着したことを特徴とする請求項１または２記載の組立て容易な陳列台。
【請求項４】
前記台紙の上部に、吊るし孔が設けられていることを特徴とする請求項１、２または３記載の組立て容易な陳列台。
【発明の詳細な説明】
【０００１】
【発明の属する技術分野】
本発明は、商品を店頭に陳列展示するための組立て容易な陳列台に関し、特には紙より成り、使用後の廃棄処理が容易な、かつ、平坦に折り畳み可能で、組立て容易な陳列台に関する。
【０００２】
【従来の技術】
従来の商品を店頭に陳列展示するための陳列台は、金属、プラスチック、紙等を多種組み合わせた素材で作製されていたため、分別廃棄が面倒であった。また、従来のこの種の陳列台は、複数の部分品から構成されており、これらを組立てる作業が大変であった。さらに、従来のプラスチック成形品を使用した陳列台は平坦に折り畳むことができず輸送時に場所をとるなど、問題があった。
【０００３】
【発明が解決しようとする課題】
本発明は、従来の陳列台に関する以上のような問題点に着目してなされたもので、廃棄処理が容易であり、組立てが簡単で、さらに平坦に折り畳むことが可能な板紙製の陳列台を提供することを目的とする。
【０００４】
【課題を解決するための手段】
本発明の第１の発明は、台紙に、一枚の板紙で形成される折り畳み式の収納部が複数個取り付けられた陳列台であって、収納部は、貼代片、底面板、前面板、背面板、押さえ板、底面補強板がそれぞれ折り曲げ線を介して連設され、底面板の両側には、それぞれ折り曲げ線を介して側面板が連設され、各側面板の上端には折り曲げ線を介して側面貼代片が、各折り曲げ線が同一線上に来るように連設され、底面板と側面板が連設されている折り曲げ線と、側面板と側面貼代片が連設されている折り曲げ線との交点から側面板の外方に向けて該側面板を２分するように斜め方向に側面板折り曲げ線が設けられ、また、底面板の前面板寄りの端縁から底面板の内方に向けて貼付片が切り込み線により区画形成され、前面板には、背面板方向に向けてそれぞれ折り曲げ線を介して連設された第２前面板と第２底面板が切り込み線により区画形成され、第２底面板の端縁は前面板と背面板が連設される折り曲げ線と重なるように設けられ、前面板の奥行きは、底面補強板を山折りし押さえ板を谷折りして背面板と押さえ板、底面補強板とを折り重ねた際の奥行きと同寸法に設定され、底面補強板を山折りし、押さえ板を谷折りし、背面板を山折りして互いに折り重ね、底面補強板の表面を、山折りした貼付片の裏面と貼着し、両側面板を側面板折り曲げ線で谷折りすると共に折り曲げて、貼代片、両側面貼代片を台紙に貼着し、折り重ねた背面板の前面板側を起こすと共に、両側面板を外側に広げて該背面板を押し込み、第２前面板を山折りし、第２底面板を谷折りして第２底面板の先端を底面補強板と押さえ板の間に挟み込むように固定して収納部を組み立てたことを特徴とする組立て容易な陳列台である。
【０００５】
また、第２の発明は、第１の発明において、前記第２底面板の裏面に仕切り付き補強版を貼着したことを特徴とする組立て容易な陳列台である。
【０００６】
また、第３の発明は、第１または第２の発明において、前記台紙の裏面に、補強柱を貼着したことを特徴とする組立て容易な陳列台である。
【０００７】
また、第４の発明は、第１、第２または第３の発明において、前記台紙の上部に、吊るし孔が設けられていることを特徴とする組立て容易な陳列台である。
【０００８】
【作用】
上記のように本発明の組立て容易な陳列台は、紙のみで構成されているため、廃棄処理が容易である。また、収納部は折り畳み可能に形成されているためかさばらばない。
【０００９】
【発明の実施の形態】
以下実施例により本発明を詳細に説明する。
本発明の組立て容易な陳列台は図１、図２に示すように、紙よりなる台紙１に商品を陳列するための複数個の折り畳み可能な収納部１０が取り付けられて成る。収納部の台紙への取り付けは、実施例に示す、接着剤、両面テープ等による台紙表面への貼着のほか、台紙に差し込みスリットを穿設して収納部の貼付片をこのスリットに差し込み台紙裏面で貼着する等公知の方法で行うことができる。
なお、図１、図２には収納部を３個取り付けた陳列台を図示したが、３個に限定されるものではない。
【００１０】
図３は収納部１０の展開平面図であり、１つの収納部は１枚の板紙から形成され、収納部は貼代片１１、底面板１２、前面板１３、背面板１４、押さえ板１５、底面補強板１６がそれぞれ折り曲げ線を介して連設されている。
【００１１】
底面板１２の両側には、それぞれ折り曲げ線を介して側面板１２１、１２２が連設され、各側面板１２１、１２２の上端にはそれぞれ折り曲げ線を介して側面貼付片１２３、１２４が連設されている。貼代片１１と底面板１２を連設している折り曲げ線と、各側面板１２１、１２２と各側面貼代片１２３、１２４を連設している折り曲げ線とは同一直線上に形成されている。
【００１２】
底面板１２と側面板１２１、１２２が連設されている折り曲げ線と、側面板１２１、と側面貼代片１２３、１２４が連設されている折り曲げ線との交点から各側面板の外方に向けて該側面板を２分するように斜め方向に側面板折り曲げ線ｌが設けられている。
【００１３】
底面板１２の前面板１３寄りの略中央部には、端縁から内方に向けて貼付片１２５が切り込み線ｍにより区画形成されている。
【００１４】
前面板１３には、背面板方向に向けて、それぞれ折り曲げ線を介して連設された第２前面板１３１と第２底面板１３２が切り込み線ｎにより区画形成されている。第２底面板１３２の端縁は前面板１３と背面板１４が連設されている折り曲げ線と重なるように設けられる。また、前面板の、区画形成された第２底面板、第２前面板と、残りの前面板の各奥行きは略同寸法に設定される。
【００１５】
前面板１３の奥行きは、底面補強板１６を山折りし、押さえ板１５を谷折りして背面板１４と押さえ板１５、底面補強板１６とを折り重ねた際の奥行きと同寸法に設定される。
【００１６】
収納部１０の台紙への取り付けは次のようにして行う。すなわち、底面補強板１６を山折りし、押さえ板１５を谷折りして背面板１４と押さえ板１５、底面補強板１６とを折り重ね、折り重ねた背面板１４を山折りすると共に、山折りした貼付片１２５の裏面と接着剤を用いる等公知の方法で貼着する。
【００１７】
２つの側面板折り曲げ線ｌを谷折りし、両側面板１２１、１２２を山折りして貼代片１１と２つの側面貼代片１２３、１２４を台紙１に既述した公知の方法により貼着すると、収納部１０が折り畳まれた状態で台紙１に取り付けられる。
【００１８】
収納部１０の組立ては次のようにして行う。すなわち、背面板１４を起こしながら２つの側面板１２１、１２２を押し広げ、背面板１４を台紙１に押しつけるようにして２つの側面板１２１、１２２の間に挿入すると共に、谷折りされた第２底面板１３２の先端部を押さえ板１５と底面補強板１６の間に挟み込むと収納部１０が組上がる。
【００１９】
組立てられた収納部１０は、第２前面板１３１を手前に押すようにして第２底面板１３２を押さえ板１５と底面補強板１６の間から外し、背面板１４を台紙１から手前に引き戻し、２つの側面板１２１、１２２を内側に押し込むと側面板は２つ折りされて収納部は折り畳まれる。
【００２０】
収納部の底面を補強するため、第２底面板１３２の裏面に仕切り付き板３０を貼着しても良い。なお、仕切りは必要に応じて増やしても、無くしても構わない（図１参照）。
【００２１】
また、台紙１を補強するため、台紙の裏面に補強板（三角柱など）を貼着しても良い（図１、図２参照）。
【００２２】
台紙の上部に吊るし孔２を設けておくと陳列台を吊り下げることが可能になる。また、収納部の底と台紙の下端を揃えると、陳列台を平面台の上に置くこともできる。
【００２３】
【発明の効果】
上記のように本発明の組立て容易な陳列台は、板紙のみで作製されているので、使用後の廃棄処理が容易である。
また、平坦に折り畳むことができるので、輸送時、保管時にかさばらず場所をとらない。
さらに、組立てが極めて容易なため、店頭で簡単に組立てられ、商品の陳列が簡単にできる。
【図面の簡単な説明】
【図１】本発明の一実施例を示す組立てた状態の斜視図である。
【図２】本発明の同実施例の折り畳んだ状態を示す側面図と平面図である。
【図３】本発明の組立て容易な陳列台の収納部の一例を示す展開平面図である。
【符号の説明】
１‥‥台紙
２‥‥吊るし孔
１０‥‥収納部
１１‥‥貼代片
１２‥‥底面板
１３‥‥前面板
１４‥‥背面板
１５‥‥押さえ板
１６‥‥底面補強板
３０‥‥仕切り付き板
４０‥‥三角柱
１２１、１２２‥‥側面板
１２３、１２４‥‥側面貼代片
１２５‥‥貼付片
１３１‥‥第２前面板
１３２‥‥第２底面板
ｌ‥‥側面板折り曲げ線
ｍ、ｎ‥‥切り込み線
【図１】
0004196449.tif 000002
【図２】
0004196449.tif 000003
【図３】
0004196449.tif 000004